(57)【要約】【課題】小型ノズル単体であるいは、それを吸込具本体に装着して使用するときのいずれにおいても、吸引された塵埃を検知できる使用性の高い電気掃除機用吸込具及び電気掃除機を提供することを目的とする。【解決手段】本体吸込口３を有する吸込具本体１ａと、前記吸込具本体１ａに着脱自在に装着され前記本体吸込口３に連通する吸引通路７ｂを有する小型ノズル７とを備え、前記吸引通路７ｂ内を通過する塵埃を検知する塵埃検知手段３０の出力に基づいて動作する表示手段（図示せず）を、前記小型ノズル７に設けたもので、小型ノズル７単体であるいは、それを吸込具本体１ａに装着して使用するときのいずれにおいても、吸引された塵埃を検知できる。【選択図】図５
2005110909.tif 000002
【特許請求の範囲】
【請求項１】
本体吸込口を有する吸込具本体と、前記吸込具本体に着脱自在に装着され前記本体吸込口に連通する吸引通路を有する小型ノズルとを備え、前記吸引通路内を通過する塵埃を検知する塵埃検知手段の出力に基づいて動作する表示手段を、前記小型ノズルに設けた電気掃除機用吸込具。
【請求項２】
表示手段を小型ノズルの上部に配した請求項１記載の電気掃除機用吸込具。
【請求項３】
本体吸込口を有する吸込具本体と、前記吸込具本体に着脱自在に装着され前記本体吸込口に連通する吸引通路を有する小型ノズルとを備え、前記吸引通路内を通過する塵埃を検知する塵埃検知手段を、前記小型ノズルに設けた電気掃除機用吸込具。
【請求項４】
小型ノズルは、接続部と、吸込口を有するノズル部と、前記接続部と前記ノズル部とを連結する連結部とから構成され、前記ノズル部と前記連結部、前記連結部と前記接続部のいずれか一方を上下傾動自在とし、他方を回動自在とするとともに、少なくともノズル部は、吸込具本体に回動不能に装着される構成とした請求項１〜３のいずれか１項に記載の電気掃除機用吸込具。
【請求項５】
上記請求項１〜４のいずれか１項に記載の電気掃除機用吸込具を備えるとともに、塵埃検知手段と、電動送風機の運転動作を制御する制御回路とを電気的に接続した電気掃除機。
【請求項６】
塵埃検知手段の出力に基づいて、電動送風機の消費電力を制御する請求項５記載の電気掃除機。
【発明の詳細な説明】
【技術分野】
【０００１】
本発明は、吸込具本体とそれに装着される小型ノズルからなる電気掃除機用吸込具及びそれを用いた電気掃除機に関するものである。
【背景技術】
【０００２】
一般に、電気掃除機用吸込具には、幅広の床掃除用の床用吸込具と狭い所を掃除するための隙間用吸込具があり、使用者は、掃除する場所に基づいて、電気掃除機にホースを介して接続された延長管に、適宜床用吸込具を接続したり、それを取り外して隙間用吸込具に取り替えるようにしていたが、その取替え作業が非常に煩わしかった。それを改善するために、延長管の先端に上下動自在な連結部を介してブラシノズルを取りつけ、このブラシノズルを床用吸込具の上面に設けた連結口に回動かつ着脱自在に接続できるようにして、床のような広い場所を掃除する時は、ブラシノズルを床用吸込具に取り付け、その床用吸込具を従来と同様上下、左右に回動させて掃除ができるようにしたものがあった。そして狭い場所を掃除する際には、床用吸込具から延長管に接続したブラシノズルを離脱して、そのブラシノズルを隙間用吸込具として使用できるようになっていた（例えば、特許文献１参照）。
【０００３】
また、掃除中に、被掃除面から塵埃が吸引されている様子が実感できるようにするために、床用吸込具に、電気掃除機によって吸引される塵埃を検知する塵埃検知センサと、前記塵埃検知センサの出力に基づいて動作する表示手段を設け、掃除中に前記塵埃検知センサが塵埃を検知すると表示手段を点灯させるようなものもあった（例えば、特許文献２参照）。
【特許文献１】特開２００１−３１４３５８号公報
【特許文献２】特開平９−１４９８７１号公報
【発明の開示】
【発明が解決しようとする課題】
【０００４】
しかしながら、従来のブラシノズルを床用吸込具の上面に設けた連結口に回動かつ着脱自在に接続できるようにしたものを使用する時、使用者は、目視で床面の汚れ具合を判断し、電気掃除機の運転時の強弱をスイッチで切り換えていた。しかしその強弱の切り換えが煩雑で、しかも実際の床面には、埃の多いところ、少ない所があるにもかかわらず、一定の強さで電気掃除機を運転するため、塵埃が少ないにもかかわらず強運転を続けたり、塵埃が多いにもかかわらず弱運転を続けて塵埃が十分吸引しきれないなど、余分な電力を消費したり、掃除効率が悪いなどの課題があった。
【０００５】
しかも、ブラシノズルが床用吸込具に対して回動自在に取りつけてあるため気密性の確保が困難で、しかも床用吸込具を前後左右に移動させる際の操作性が非常に悪いという課題があった。勿論ブラシノズルの装着部分の気密性を向上させることは、関連部品の嵌合寸法を精度良くすることで可能だが、それを行うと今度は、床用吸込具とブラシノズルとの間の回動性が悪くなって床用吸込具の操作性が悪化するという課題があり、操作性と気密性を同時に満足させるのは非常に困難であった。
【０００６】
また、床用吸込具に、塵埃を検知する塵埃検知センサと、塵埃の有無を表示する表示手段を設けたものの場合、その床用吸込具を使用する限りにおいては、表示手段で塵埃の有無が表示され、使用勝手が良いが、狭いところを掃除するために延長管に接続された床用吸込具を隙間用吸込具に差しかえると、隙間用吸込具には、塵埃検知センサや表示手段がないので、使用者にとって塵埃の有無を知る手段が無くなり、非常に使い勝手が悪いものであった。この問題を解決するために、隙間用吸込具にも塵埃検知センサと、塵埃の有無を表示する表示素子を設けることも考えられるが、これでは、全ての吸込具に塵埃検知センサと表示手段を設けなければならず、非常に高価なものになってしまうという課題があった。
【０００７】
本発明は、前記従来の課題を解決するもので、小型ノズル単体であるいは、それを吸込具本体に装着して使用するときのいずれにおいても、吸引された塵埃を検知できる使用性の高い電気掃除機用吸込具及び電気掃除機を提供することを目的とする。
【課題を解決するための手段】
【０００８】
前記従来の課題を解決するために、本発明の電気掃除機用吸込具は、本体吸込口を有する吸込具本体と、前記吸込具本体に着脱自在に装着され前記本体吸込口に連通する吸引通路を有する小型ノズルとを備え、前記吸引通路内を通過する塵埃を検知する塵埃検知手段の出力に基づいて動作する表示手段を、前記小型ノズルに設けたもので、小型ノズル単体であるいは、それを吸込具本体に装着して使用するときのいずれにおいても、吸引された塵埃を検知できる。
【０００９】
また、塵埃検知手段の出力に基づいて動作する表示手段を、小型ノズルに設けたもので、使用者は、常に塵埃の取れ具合、被掃除面の汚れ具合が表示手段で分かるので、無駄なくしかも効率良く掃除作業を行なうことができるものである。
【００１０】
また、本発明の電気掃除機用吸込具は、本体吸込口を有する吸込具本体と、前記吸込具本体に着脱自在に装着され前記本体吸込口に連通する吸引通路を有する小型ノズルとを備え、前記吸引通路内を通過する塵埃を検知する塵埃検知手段を、前記小型ノズルに設けたもので、小型ノズル単体であるいは、それを吸込具本体に装着して使用するときのいずれにおいても、吸引された塵埃を検知できる。
【発明の効果】
【００１１】
本発明によれば、小型ノズル単体であるいは、それを吸込具本体に装着して使用するときのいずれにおいても、吸引された塵埃を検知できる使用性の高い電気掃除機用吸込具及び電気掃除機を提供できる。
【発明を実施するための最良の形態】
【００１２】
第１の発明は、本体吸込口を有する吸込具本体と、前記吸込具本体に着脱自在に装着され前記本体吸込口に連通する吸引通路を有する小型ノズルとを備え、前記吸引通路内を通過する塵埃を検知する塵埃検知手段の出力に基づいて動作する表示手段を、前記小型ノズルに設けたもので、小型ノズル単体であるいは、それを吸込具本体に装着して使用するときのいずれにおいても、吸引された塵埃を検知できる。
【００１３】
また、塵埃検知手段の出力に基づいて動作する表示手段を、小型ノズルに設けたもので、使用者は、常に塵埃の取れ具合、被掃除面の汚れ具合が表示手段で分かるので、無駄なくしかも効率良く掃除作業を行なうことができるものである。
【００１４】
第２の発明は、表示手段を小型ノズルの上部に配したもので、小型ノズルの上部は、常時、上向きであるので、使用者は表示手段による表示内容、状況を常に安定して把握でき、使用勝手が良いものである。
【００１５】
第３の発明は、本体吸込口を有する吸込具本体と、前記吸込具本体に着脱自在に装着され前記本体吸込口に連通する吸引通路を有する小型ノズルとを備え、前記吸引通路内を通過する塵埃を検知する塵埃検知手段を、前記小型ノズルに設けたもので、小型ノズル単体であるいは、それを吸込具本体に装着して使用するときのいずれにおいても、吸引された塵埃を検知できる。
【００１６】
第４の発明は、小型ノズルは、接続部と、吸込口を有するノズル部と、前記接続部と前記ノズル部とを連結する連結部とから構成され、前記ノズル部と前記連結部、前記連結部と前記接続部のいずれか一方を上下傾動自在とし、他方を回動自在とするとともに、少なくともノズル部は、吸込具本体に回動不能に装着される構成としたもので、小型ノズルの吸込具本体に対する装着部分は回動不能になっているので気密性良く装着することができるとともに長期間の使用によってもその気密性を良好に維持することができ、特に上下の傾動部、左右の回動部のいずれも小型ノズルに対して行うようにしたので、小型ノズルを吸込具本体に装着して使用する際の吸込具本体の左右方向への操作性が向上する。
【００１７】
第５および第６の発明は、上記請求項１〜４のいずれか１項に記載の電気掃除機用吸込具を備えるとともに、塵埃検知手段と、電動送風機の運転動作を制御する制御回路とを電気的に接続し、塵埃検知手段の出力に基づいて、電動送風機の消費電力を制御するもので、塵埃検知手段で検知される塵埃の量に基づいて制御回路が電動送風機を制御するようにすれば、小型ノズル単体で隙間掃除をするときは勿論、それを吸込具本体に装着して床面を掃除する時も、塵埃の量に応じた電動機送風機の消費電力の制御が可能になり、電動送風機による無駄な電力の消費を防止することができる。
【００１８】
また、小型ノズルを吸込具本体に気密性良く装着できるとともに、吸込具本体の左右方向への操作性が向上し、さらに小型ノズルを単体で使用するときも吸込具本体にそれを装着した状態で使用するときも塵埃のとれ具合が実感できるとともに、塵埃の量に基づいて電動送風機が制御されることにより、無駄な電力が消費されることなく効率の良い掃除ができる電気掃除機を提供することができる。
【００１９】
以下、本発明の実施の形態について、図面を参照しながら説明する。なお、この実施の形態によって本発明が限定されるものではない。
【００２０】
（実施の形態１）
図１は、本発明の電気掃除機用吸込具（以下「吸込具１」という）が接続されている電気掃除機の全体図で、図２は、吸込具１の側面図で、図３は吸込具１の下面図で、図４は、吸込具１の斜視図で、図５は同電気掃除機用吸込具の断面図、図６は図２のＡ−Ａ断面図、図７は、図２の小型ノズル離脱時のＡ−Ａ断面図、図８は、（Ａ）、（Ｂ）小型ノズルの開動をロックする構成部分を示す側面図、図９の（Ａ）〜（Ｃ）は掃除状態を示す説明図、図１０は、電気掃除機用吸込具を接続した電気掃除機の制御ブロック図を示すものである。
【００２１】
図において、吸込具１は、吸込具本体１ａと、その吸込具本体１ａに着脱自在に装着される小型ノズル７からなり、小型ノズル７の後部に設けられた接続部１２は、延長管２１、手元ハンドル２２を有するホース２３を介して、掃除機本体２４に連通されている。掃除機本体２４には、電動送風機２５と、前記電動送風機を制御する制御回路２６が内蔵されている。２７は、延長管２１、ホース２３に内蔵され制御回路２６と小型ノズル７とを電気的に接続するための配線部材である。
【００２２】
小型ノズル７の接続部１２と延長管２１、延長管２１と手元ハンドル２２、ホース２３と掃除機本体２４は、それぞれ着脱自在になっており、また各端部には配線部材２７に電気的に接続されるコネクター２８が設けられており、小型ノズル７、延長管２１、手元ハンドル２２、ホース２３の着脱時に、電気的に接離するようになっている。
【００２３】
吸込具本体１ａは、前方に設けた吸込室２の下部に配された本体吸込口３と、ベルト４ａを介し電動機４によって駆動される回転ブラシ５を設けてある。この吸込具本体１ａはその後部上面の略中央部分に前後方向に長い半割円状の凹部６が設けてあり、その凹部６の前部は前記吸込室２につながっている。小型ノズル７は、前記吸込具本体１ａの凹部６に上面より着脱自在に装着されるとともに、前後方向に長い短冊或いは楕円等の非円形状に形成することにより、前記凹部６に対し回動不可の固定状態となるようにしてあり、かつ凹部６には気密状態で装着されるようになっている。
【００２４】
この小型ノズル７の前端と下面にそれぞれ吸込口８、９が形成してあり、吸込具本体１ａへの装着時には前端の吸込口８が前記吸込室２に連通し、下面の吸込口９は後述する閉塞体２０によって閉塞状態となるように構成してある。そして前端の吸込口８には吸込具本体１ａへの装着時に開き、離脱時に閉じる開閉板８ａが設けてある。１０は下面の吸込口９の両側に装着した起毛布等からなる部材である。この小型ノズル７はその下面を円弧状に形成して、その両側部分と下面に前記吸込口９を設け、その各吸込口９の両側に起毛布等からなる部材１０を装着する構成とすることもできる。
【００２５】
更にこの小型ノズル７の後部に回動自在に連結部１１を接続し、この連結部１１に上下傾動自在に接続部１２を接続して構成してあり、この接続部１２を介して掃除機本体２４からの延長管２１に接続して使用する際に左右上下に回動自在となっている。そしてこの小型ノズル７は吸込具本体１ａから離脱させたときには連結部１１との間の回動をロックする構成としてある。すなわち図８（Ａ）（Ｂ）に示すように小型ノズル７には連結部１１の回動用リブ１３ａの回動軌上に出没自在なロック体１３を設け、吸込具本体１ａに装着したときにはこのロック体１３が後述するノズル保持手段１６によって回動軌跡から外れ、離脱させるとこの回動軌跡上に突出するように構成してある。
【００２６】
一方、前記吸込具本体１ａにはその凹部６の適所に小型ノズル７を保持或いは離脱させる脱着手段１５が設けてある。すなわち、１６はノズル保持手段で、凹部６に装着した小型ノズル７のノズル部７ａを抱き込むことによって小型ノズル７を凹部６に保持するものであり、バネ材（図示せず）を略半割リング状に形成してその両端部分が外方に広がる附勢力を持つように構成している。
【００２７】
１７はこのノズル保持手段１６を上下動自在に支持する支持体、１８はその途中を回転自在に支持した脱着レバーで、一端は前記支持体１７に連結し、他端は吸込具本体１ａ外に突出させて操作部１９としてあり、操作部１９を足で踏むことによりノズル保持手段１６を凹部６から上昇させ、その上昇によってノズル保持手段１６の両端が広がって小型ノズル７の保持を解除するようになっている。なお図中２０は前記小型ノズル７の下面に設けた吸込口９を小型ノズル７の装着時に閉塞する閉塞部である。
【００２８】
３０は、小型ノズル７の吸引通路７ｂの一部の内壁に対向して設けられた１対の発光素子３０ａと受光素子３０ｂからなり、吸引通路７ｂを通る塵埃を検知する塵埃検知手段である。３１は、塵埃検知手段３０によって検知された塵埃の有無或いは多少を表示する表示手段で発光ダイオードなどから構成されている。上記塵埃検知手段３０及び表示手段３１は、接続部１２に設けたコネクター２８を介して配線部材２７に電気的に接続されるようになっている。
【００２９】
３２は、上方に突出し吸込具本体１ａに内蔵された電動機４に電気的に接続された端子で、小型ノズル７を吸込具本体１ａに装着した時に、小型ノズル７の底面に設けられコネクター２８と電気的に接続された受部（図示せず）に嵌合するようになっている。
【００３０】
上記構成による、動作、作用は以下の通りである。
【００３１】
最初に、小型ノズル７を吸込口本体１ａに装着して使用する場合について説明する。
【００３２】
小型ノズル７を吸込口本体１ａに装着し、小型ノズル７の接続部１２を延長管２１に接続し、掃除機本体２４を運転すると、電動送風機２５による吸引力が、ホース２３、延長管２１、接続部１２、連結部１１、ノズル部７ａの吸込口８を介して吸込具本体１ａの本体吸込口３に作用し、床面の塵埃が吸引され掃除ができる。
【００３３】
この際、小型ノズル７は連結部１１と接続部１２によって左右上下いずれの方向にも回動させることができるので、吸込具本体１ａは図９（Ａ）〜（Ｃ）に示すように左右上下いずれの方向にも回動させることが可能である。このとき小型ノズル７はノズル部７ａと連結部１１との連結部分側を左右方向へ回動自在としてあるので、図９（Ａ）で示すように吸込具本体１ａの本体吸込口３の全面を掃除面に沿わせたまま延長管２１の軸先と同一方向にすることができ、狭いところでも効率よく掃除することができる。そしてこの小型ノズル７は上記したように小型ノズル７自体のノズル部７ａと連結部１１と接続部１２との連結部分で上下左右方向に回動自在としてあるので、吸込具本体１ａへの装着部分は回動不能の固定状態とすることができ、よって吸込具本体１ａとの接続部分の気密性を高めることができる。そしてこのように気密性の高い接続状態としても前記したように上下左右の回動は小型ノズル７のノズル部７ａと連結部１１、接続部１２との間で行われるので、良好な操作性が確保できる。
【００３４】
そして、吸込具本体１ａの本体吸込口３から吸引された塵埃が、小型ノズル７の吸引通路７ｂを通過する際に、塵埃検知手段３０の発光素子３０ａから発せられ受光素子３０ｂで受光される光が塵埃により遮られることで、受光素子３０ｂの出力信号が変化しそれにより塵埃が検知され、その検知信号が制御回路２６に送られる。制御回路２６は、塵埃検知手段３０からの検知信号に基づいて、電動送風機２４の回転数、いわゆる消費電力を増減し、又表示装置３１を動作させるようにする。
【００３５】
例えば、所定時間内に受光素子３０ｂに至る光が所定回数を越えて遮られるようであれば、塵埃が多いということなので、電動送風機２４の回転数を上げ、吸引力を強くし、逆に、所定時間内に受光素子３０ｂに至る光の遮られる回数が所定以下であれば、塵埃が少ないということであるから、今度は電動送風機２４の回転数を下げて、消費電力を抑えることができる。
【００３６】
また、表示装置３１として、例えば、赤と緑の発光ダイオードを用いて、塵埃が検知されなかったり、或いは検知された量が少ない時は、緑の発光ダイオードを点灯させ、所定量以上の塵埃が検知されたら赤の発光ダイオードを点灯させるようにすれば、使用者は、緑の発光ダイオードが点灯するのを見て、掃除をしている部分の塵埃が少ないことを知り、次の部分の掃除に移動できる。また、赤の発光ダイオードが点灯した時は、使用者は、その部分に塵埃が多いことを知り、その部分を念入りに掃除することができる。すなわち、掃除動作が無駄なく、効率良く行えるようになる。あるいは、検知される塵埃の量の増加に伴い、赤の発光ダイオードの輝度をより明るくなるように点灯させたり、点滅させるようにして、その点滅頻度をあげるようにすれば、使用者にとって、塵埃の分布がより実感できるものである。
【００３７】
また、上記実施の形態では、表示手段３１が、常時上を向いているノズル部７ａの上部に配されているので、使用者は表示手段３１による点灯状況、明るさの変化、点灯している色等表示内容、状況を常に安定して把握でき、使用勝手が良いものである。
【００３８】
次に、小型ノズル７単体で使用する場合について説明する。
【００３９】
小型ノズル７が、吸込具本体１ａに装着された状態で、脱着レバー１８の操作部１９を足で下方に踏むと、ノズル保持手段１６が上昇して小型ノズル７を凹部６から持ち上げた状態でその両端が開き、小型ノズル７の保持を解除する。よって使用者はこの状態で延長管２１を持ってそのまま引き上げれば小型ノズル７を吸込口本体１ａから外すことができ、そのまま小型ノズル７による掃除が可能となる。
【００４０】
このとき小型ノズル７の前部吸込口８はバネ８ｂにより閉じる方向に附勢した開閉板８ａによって閉じられ、下面に設けた吸込口９により掃除をすることになる。その際この吸込口９の両側には起毛布等からなる部材１６が設けてあるので被掃除面との間の気密性が良好に保たれ、効率の良い掃除が可能となる。特に小型ノズル７の下面を略円弧状に形成してその両側に吸込口９を設けた場合には階段等の直行する各面に部材１０が接するので良好な掃除性能が確保できる。
【００４１】
そして、吸込口９から吸引された塵埃が、吸引通路７ｂを通過する際に、前記同様に塵埃検知手段３０が塵埃の有無、多少を検知し、その検知結果に基づいて、電動送風機２５、表示手段３１が、制御回路２６によって制御される。なお、塵埃検知手段３０の検知結果に基づいて制御回路２６が電動送風機２５、表示手段３１を制御する際の動作、方法は上記と同じなので説明は省略する。
【００４２】
再度小型ノズル７を吸込具本体１ａに取りつけて使用する場合は、小型ノズル７の下面をノズル保持手段１６にはめ込んでそのまま凹部６に嵌合させればよく、これによりノズル保持手段１６は凹部６内にはまり込んで小型ノズル７を吸込具本体１ａに保持する。そして先に述べたように吸込口本体１と一体化した状態で掃除に供することができる。
【００４３】
またこの小型ノズル７は吸込具本体１ａから外したときにはロック体１３が連結部１１の回動用リブ１３ａの回動軌上に突出して回動をロックするので、連結部１１と接続部１２との間の上下動のみ可能となり、掃除中にノズル部７ａの掃除面、すなわち下面が左右に回転して掃除がしにくくなることがなく、掃除のしやすいものとすることができる。
【００４４】
なお、上記実施の形態は、本発明を実施する上での一例を示したものであって、各部の具体的な構成はこれに限定されるものではなく、本発明の目的を達成するものであればどの様に変更しても良いものである。
【産業上の利用可能性】
【００４５】
以上のように、本発明にかかる電気掃除機用吸込具及び電気掃除機は、小型ノズル単体で隙間掃除をするときは勿論、それを吸込具本体に装着して床面を掃除する時も塵埃の量に基づいて電動送風機が制御されるので、無駄な電力が消費されることが無いもので、家庭用電気掃除機に限らず、集塵機や、粉体、粒状物、流体等を扱う機器にも適用可能である。
【図面の簡単な説明】
【００４６】
【図１】本発明の実施の形態１における電気掃除機用吸込具を用いた電気掃除機の全体図
【図２】同電気掃除機用吸込具の側面図
【図３】同電気掃除機用吸込具の下面図
【図４】同電気掃除機用吸込具の斜視図
【図５】同電気掃除機用吸込具の断面図
【図６】図２のＡ−Ａ断面図
【図７】図２の小型ノズル離脱時のＡ−Ａ断面図
【図８】（Ａ）、（Ｂ）小型ノズルの開動をロックする構成部分を示す側面図
【図９】（Ａ）〜（Ｃ）は掃除状態を示す説明図
【図１０】同電気掃除機用吸込具を接続した電気掃除機の制御ブロック図
【符号の説明】
【００４７】
１    電気掃除機用吸込具
１ａ  吸込具本体
３    本体吸込口
７    小型ノズル
７ａ  ノズル部
７ｂ  吸引通路
１１    連結部
１２    接続部
２５    電動送風機
２６    制御回路
２８    コネクター
３０    塵埃検知手段
３１    表示手段
【図１】
2005110909.tif 000003
【図２】
2005110909.tif 000004
【図３】
2005110909.tif 000005
【図４】
2005110909.tif 000006
【図５】
2005110909.tif 000007
【図６】
2005110909.tif 000008
【図７】
2005110909.tif 000009
【図８】
2005110909.tif 000010
【図９】
2005110909.tif 000011
【図１０】
2005110909.tif 000012